(57)【要約】【課題】本発明は、地上波デジタル放送を受信して録画する際に、録画の停止処理や再開処理を行うための受信状態の基準レベルをユーザの感覚を考慮して判断できる動画像録画装置を提供することを目的とする。【解決手段】動画像を受信して録画する動画像録画装置において、複数段階の品質レベルの動画像を選択可能に表示する表示手段と、品質レベルを基準レベルとして設定するレベル設定手段と、受信している動画像の画像品質を取得する取得手段（Ｓ２０５、Ｓ３０５）と、録画をしている際に、画像品質が基準レベルより低くなった場合、録画を一時停止する一時停止手段（Ｓ２１７）と、録画を一時停止している際に、画像品質が基準レベルより高くなった場合、録画を再開する録画再開手段（Ｓ３１７）と、を備えた。【選択図】  図８
2008219564.tif 000002
【特許請求の範囲】
【請求項１】
動画像を受信して録画する動画像録画装置において、
複数段階の品質レベルの動画像を選択可能に表示する表示手段と、
前記表示手段により表示された複数段階の品質レベルの動画像から選択された動画像の品質レベルを基準レベルとして設定するレベル設定手段と、
受信している動画像の画像品質を取得する取得手段と、
録画をしている際に、前記取得手段により取得された画像品質が前記レベル設定手段により設定された基準レベルより低くなった場合、録画を一時停止する一時停止手段と、
前記一時停止手段により録画を一時停止している際に、前記取得手段により取得された画像品質が前記レベル設定手段により設定された基準レベルより高くなった場合、録画を再開する録画再開手段と、
を備えたことを特徴とする動画像録画装置。
【請求項２】
動画像を受信して録画する動画像録画装置において、
複数段階の品質レベルの動画像を選択可能に表示する表示手段と、
前記表示手段により表示された複数段階の品質レベルの動画像から選択された動画像の品質レベルを第１の基準レベルとして設定するとともに、同様に前記表示手段により表示された複数段階の品質レベルの動画像から選択された動画像の品質レベルを第２の基準レベルとして設定するレベル設定手段と、
受信している動画像の画像品質を取得する取得手段と、
録画をしている際に、前記取得手段により取得された画像品質が前記レベル設定手段により設定された第１の基準レベルより低くなった場合、録画を一時停止する一時停止手段と、
前記一時停止手段により録画を一時停止している際に、前記取得手段により取得された画像品質が前記レベル設定手段により設定された第２の基準レベルより高くなった場合、録画を再開する録画再開手段と、
を備えたことを特徴とする動画像録画装置。
【請求項３】
前記一時停止手段は、前記取得手段により取得された画像品質が前記レベル設定手段により設定された基準レベルより低い状態が所定時間継続した場合に、録画を一時停止する請求項１記載の動画像録画装置。
【請求項４】
前記録画再開手段は、前記取得手段により取得された画像品質が前記レベル設定手段により設定された基準レベルより高い状態が所定時間継続した場合に、録画を再開する請求項３記載の動画像録画装置。
【請求項５】
時間を入力する時間入力手段と、
前記入力手段により入力された時間を、前記一時停止手段及び録画再開手段で使用される所定時間として設定する時間設定手段と、
を備えた請求項４記載の動画像復号装置。
【発明の詳細な説明】
【技術分野】
【０００１】
本発明は、受信した動画像を録画する動画像録画装置に係り、具体的には、受信した動画像の画像品質に応じて録画処理や一時停止処理を行う動画像録画装置に関する。
【背景技術】
【０００２】
地上波デジタル放送が開始されるのに伴い、携帯電話機やその他の携帯型の移動体により地上波デジタル放送を受信して、視聴や録画が行われるようになった。携帯電話機等の移動体によって動画像を受信して録画する際、録画処理中に移動体が移動すること等により受信状態が悪くなった場合には、正常に録画処理を行えないという問題があった。
【０００３】
そこで、地上波デジタル放送の録画処理中に受信状態が悪くなった場合にはこの録画処理を停止し、録画できなかった部分を他のデータで補充するデジタル放送受信器が提案されてきた（特許文献１参照）。
【０００４】
このデジタル放送受信器は、地上波デジタル放送を受信する際にこの動画像ストリームの受信状態を検出し、受信状態が悪くなった場合には録画を停止し、また受信状態が良くなった場合には録画を再開するものである。このデジタル放送受信器では、録画処理中の番組の受信状態が悪くなった場合には、受信状態が良好な他の番組に切り換えて受信が行われる。
【特許文献１】特開２００６−２２９７９４号公報
【発明の開示】
【発明が解決しようとする課題】
【０００５】
地上波デジタル放送の録画中に、受信状態が悪くなった場合には録画を停止し、また受信状態が良くなった場合には録画を再開する方法では、その受信状態の良し悪しの判断レベルによっては、ユーザの感覚に反した録画の停止処理や録画の再開処理が行われてしまう恐れがあるという問題があった。
【０００６】
本発明は、上記課題を鑑みてなされてものであり、地上波デジタル放送を受信して録画する際に、録画の停止処理や再開処理を行うための受信状態の基準レベルをユーザの感覚を考慮して判断できる動画像録画装置を提供することを目的とする。
【課題を解決するための手段】
【０００７】
上記課題を解決するために、本発明に係る動画像録画装置は、動画像を受信して録画する動画像録画装置において、複数段階の品質レベルの動画像を選択可能に表示する表示手段と、前記表示手段により表示された複数段階の品質レベルの動画像から選択された動画像の品質レベルを基準レベルとして設定するレベル設定手段と、受信している動画像の画像品質を取得する取得手段と、録画をしている際に、前記取得手段により取得された画像品質が前記レベル設定手段により設定された基準レベルより低くなった場合、録画を一時停止する一時停止手段と、前記一時停止手段により録画を一時停止している際に、前記取得手段により取得された画像品質が前記レベル設定手段により設定された基準レベルより高くなった場合、録画を再開する録画再開手段とを備えたことを特徴とする。
【発明の効果】
【０００８】
本発明に係る動画像録画装置によると、地上波デジタル放送を受信して録画する際に、録画の停止処理や再開処理を行うための受信状態の基準レベルをユーザの感覚を考慮して判断し、最良の録画処理を行うことが可能となる。
【発明を実施するための最良の形態】
【０００９】
本発明に係る動画像録画装置の実施形態について、添付図面を参照しながら説明する。なお、本発明に係る動画像録画装置１として、動画像の符号化画像ストリームを受信して録画する携帯電話機について詳細に説明する。
【００１０】
図１及び図２に、動画像録画装置１の一例として説明に用いている折り畳み型の携帯電話機の外観図を示す。図１［Ａ］は、動画像録画装置１の約１８０度に見開いた状態の正面図であり、図１［Ｂ］は、動画像録画装置１の見開いた状態の側面図である。また、図２［Ａ］は、動画像録画装置１の折り畳んだ状態の正面図であり、図２［Ｂ］は、動画像録画装置１の折り畳んだ状態の側面図である。
【００１１】
図１及び図２に示すように、動画像録画装置１は、中央のヒンジ部２１を挟むように第１の筐体２２と第２の筐体２３とがヒンジ結合されており、ヒンジ部２１を介して図１及び図２のＸ方向に折り畳み可能に形成される。動画像録画装置１の内部の所定の位置には、送受信用のアンテナ（後述する図３のアンテナ５３）が設けられており、内蔵されたアンテナ５３を介して基地局（図示せず）との間で電波を送受信する。
【００１２】
第１の筐体２２の中央部には、液晶ディスプレイ２５が設けられている。この液晶ディスプレイ２５の上部には、例えば、現在のアンテナ５３の感度のレベルを示すアンテナピクト、動画像録画装置１の現在の電池残量を示す電池ピクト、現在の時刻等が表示される。また、地上波デジタル放送受信時に、液晶ディスプレイ２５の中央部に、この地上デジタル放送の動画像が表示される。
【００１３】
また、液晶ディスプレイ２５の上部の所定の位置にはスピーカ２８が設けられており、これにより、ユーザが音声を聞くことが可能となる。
【００１４】
第１の筐体２２には、その表面に「０」から「９」までの数字キー、発呼キー、リダイヤルキー、終話・電源キー、クリアキー、及び電子メールキー等の操作キー２４が設けられており、ユーザはこれらの操作キー２４を用いて各種指示を入力することができる。また第１の筐体２２には、操作キー２４として上部に十字キーと確定キーが設けられており、ユーザが十字キーを上下左右方向に操作することにより当てられたカーソルを上下左右方向に移動させることができる。
【００１５】
第１の筐体２２には、操作キー２４の下部にマイクロフォン２６が設けられており、マイクロフォン２６によって通話時のユーザの音声を集音する。また、第１の筐体２２には、動画像録画装置１の操作を行うサイドキー２７が設けられている。
【００１６】
なお、第１の筐体２２は、背面側にバッテリパック（図示せず）が挿着されており、終話・電源キーがオン状態になると、バッテリパックから各回路部に対して電力が供給されて動作可能な状態に起動する。
【００１７】
また、第１の筐体２２と第２の筐体２３の内部の所定の位置には、動画像録画装置１の開閉状態を検知するための磁気センサ２９ａ、２９ｂ、２９ｃ、２９ｄが設けられている。
【００１８】
第１の筐体２２にはＣＣＤカメラ３０が設けられており、これにより、ユーザが所望の撮影対象を撮像することが可能となる。
【００１９】
図３は、動画像録画装置１の機能構成図である。動画像録画装置１は、図３に示すように、主制御部４１、記憶部４２、電源回路部４３、操作入力制御部４４、ＬＣＤ制御部４５、カメラインターフェース４６、画像エンコーダ４７、音声コーディック４８、変復調回路部４９、多重化分離部５０、画像デコーダ５１、がバス５４によって相互に接続されて構成される。
【００２０】
主制御部４１は、様々なデータ処理や演算を行うＣＰＵ（Ｃｅｎｔｒａｌ  Ｐｒｏｃｅｓｓｉｎｇ  Ｕｎｉｔ）からなる。記憶部４２は、主制御部４１が行う処理プログラム等を格納するＲＯＭ（Ｒｅａｄ  Ｏｎｌｙ  Ｍｅｍｏｒｙ）やハードディスク等の磁気的な記憶装置、主制御部４１が処理を行う際に使用するデータを一時的に記憶するＲＡＭ（Ｒａｎｄｏｍ  Ａｃｃｅｓｓ  Ｍｅｍｏｒｙ）等の電気的な記憶装置とからなる。また、主制御部４１には、現在の日付と時刻を計測するタイマが内蔵されている。
【００２１】
電源回路部４３は、ユーザの操作キー２４による入力により電源のオン／オフ状態を切り替え、電源がオン状態の場合には電力供給源（バッテリパック等）から各部に対して電力を供給して、動画像録画装置１を動作可能にする。
【００２２】
操作入力制御部４４は、操作キー２４によって入力されたデータを主制御部４１に伝送する。
【００２３】
ＬＣＤ制御部４５は、主制御部４１の制御に基づいて、画像データをメインディスプレイ２５に表示する処理を行う。
【００２４】
カメラインターフェース４６は、ＣＣＤカメラ３０で撮影した画像信号をＬＣＤ制御部４５を介してメインディスプレイ２５に表示する。
【００２５】
画像エンコーダ４７は、主制御部４１の制御に基づいて、ＣＣＤカメラ３０が入力した画像信号を、例えばＭＰＥＧ−４（Ｍｏｖｉｎｇ  Ｐｉｃｔｕｒｅ  Ｅｘｐｅｒｔｓ  Ｇｒｏｕｐ−４）等の所定の符号化方式によって圧縮符号化して画像データを作成したり、符号化された画像データを他の符号化方式に変換して新たな画像データを作成したりする。
【００２６】
音声コーディック４８は、主制御部４１の制御に基づいて、マイクロフォン２６で集音した音声からデジタル音声信号を生成する。変復調回路部４９は、音声通話の際に、音声コーディック４８からデジタル音声信号を入力して、送受信回路部５２に伝送する。送受信回路部５２はこのデジタル音声信号をアンテナ５３を介して送信する。
【００２７】
また、変復調回路部４９は、送受信回路部５２がアンテナ５３を介して受信したデジタル音声信号を入力する。音声コーディック４８は、音声通話の際に、このデジタル音声信号を取得してアナログ音声信号に変換し、スピーカ２８から音声として出力する。
【００２８】
多重化分離部５０は、複数の信号を重ねて多重化信号を生成する多重化処理、及び、多重化信号を複数の信号に分離する分離処理を行う。
【００２９】
例えば、多重化分離部５０は、変復調回路部４９から入力した多重化動画像信号を、符号化画像信号と音声信号とに分け、バス５４を介して符号化画像信号を画像デコーダ５１に伝送するとともに、音声信号を音声コーディックに伝送する。
【００３０】
また、多重化分離部５０は、画像エンコーダ４７から入力した画像信号と音声コーディック４８から入力した音声信号とを所定の方式で多重化し、その結果得られる多重化信号を、変復調回路部４９に伝送する。
【００３１】
画像デコーダ５１は、送受信回路部５２から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５に表示する。
【００３２】
動画像録画装置１は、地上波デジタル放送等の動画像の符号化ストリームを受信して録画（記憶部４２に記憶）するが、この録画処理を行う際に、受信した動画像の品質レベルに従って、録画処理を一時停止する一時停止処理、及び一時停止中の録画処理を再開する再開処理を行う。
【００３３】
すなわち、動画像録画装置１は、受信した動画像の録画処理を行っている際に、動画像の受信品質が劣化して基準レベルを下回った状態が所定時間（後述する低品質許容時間）継続した場合に、録画処理を一時的に停止する一時停止処理を行う。また、動画像録画装置１は、録画処理中の動画像の一時停止処理を行っている際に、動画像の受信品質が向上して基準レベルを上回った状態が所定時間（後述する高品質許容時間）継続した場合に、録画処理を再開する。
【００３４】
記憶部４２は、この動画像の基準レベルとすべき品質レベルが列挙された品質情報６０を記憶している。品質情報６０は、品質レベルを示す複数のレベル情報６１に対して、画像の受信品質を示す画像品質情報６２と録画音声の受信品質を示す録画音声情報６３とが対応付けられた情報である。
【００３５】
例えば品質情報６０は、図４に示すように、レベル情報６１として品質レベルがレベル１からレベル５までの５段階で示されている。レベル１は、受信した動画像の画像品質が良好であり（画像品質良好）、録画音声も正常に受信できている（録画音声有り）ことを示す。レベル２は、受信した動画像の画像品質がレベル１よりは衰えるものの普通に動画像として受信され（画像品質中）、録画音声も正常に受信できていることを示す。レベル３は、受信した動画像の画像品質が不良であるが一応動画像として受信され（画像品質不良）、録画音声が正常に受信できていることを示す。一方でレベル４は、受信した動画像の画像品質が悪く動画像ではなく静止画として受信され（画像品質不良）、録画音声は正常に受信できていることを示す。レベル５は、受信した動画像の画像品質が悪く動画像ではなく静止画として受信され（画像品質不良）、録画音声も正常に受信できていない（録画音声無し）ことを示す。
【００３６】
動画像録画装置１がこの品質情報６０に基づいて基準レベルや許容時間の設定処理を行う際の手順を、図５に示すフローチャートに基づいて説明する。
【００３７】
主制御部４１は、品質レベル設定モードが選択されたか否かを判断する（Ｓ１０１）。この品質レベル設定モードは、動画像の録画処理を一時停止する際の基準とする品質レベル、または動画像の録画処理を一時停止した後再度録画処理を再開する際の基準とする品質レベルを設定するためのモードであり、例えばユーザにより操作キー２４が操作されることにより選択される。品質レベル設定モードが選択されていない場合（Ｓ１０１のＮｏ）は、主制御部４１はそのまま待機する。
【００３８】
品質レベル設定モードが選択された場合（Ｓ１０１のＹｅｓ）は、主制御部４１は、ユーザに品質レベルを選択させるための品質レベル選択画面７０、７２を液晶ディスプレイ２５に表示する（Ｓ１０３）。これらの品質レベル選択画面７０、７２は、別個の画面として表示されても良く、同画面上に表示されても良い。
【００３９】
品質レベル選択画面７０（図６〔Ａ〕）は、録画中の動画像の録画処理を一時停止する際の基準レベルを設定する画面であり、品質レベル選択画面７２（図６〔Ｂ〕）は、一時停止中の動画像の録画処理を再開する際の基準レベルを設定する画面の一例であり、これらは所定のキーを押すことによって画面を切り替えることができる。品質レベル選択画面７０、７２は、図６に示すように、それぞれ複数の動画表示領域７１、７３を有し、各々の動画表示領域７１、７３には、レベル１からレベル５までの品質レベルを表す動画像のサンプルが表示される。また、ユーザが操作キー２４を用いて動画像表示領域７１、７３にカーソルを合わせると、各々の品質レベルを表す録画音声のサンプルが出力される。また、例えば任意の動画像表示領域７１、７３にカーソルが合った状態で所定の操作キー２４が押下されることにより、所定の品質レベルが選択される。
【００４０】
なお、それぞれレベル１からレベル５までのサンプル（画像、音声）ごとにそれぞれ許容するパラメータの値（例えば、レベルに応じた画像の誤り率や、レベルに応じたデコードできていない画像の割合、レベルに応じた画像の受信レベルの値など）があらかじめ設定されている。
【００４１】
主制御部４１は、品質レベルが選択されたか否かを判断する（Ｓ１０５）。品質レベルが選択されていない場合（Ｓ１０５のＮｏ）は、主制御部４１はそのまま待機する。
【００４２】
品質レベルが選択された場合（Ｓ１０５のＹｅｓ）は、主制御部４１は、選択された品質レベルを、録画処理及び一時停止処理を行う際の基準レベルとして設定し、この品質レベルを記憶部４２に記憶する（Ｓ１０７）。
【００４３】
また、主制御部４１は、品質レベルの許容時間を選択する品質レベル許容時間選択画面８０を表示する（Ｓ１０９）。品質レベル許容時間選択画面８０は、図７に示すように、一時停止処理中の高品質許容時間を選択するための高品質許容時間選択領域８１と、録画処理中の低品質許容時間を選択するための低品質許容時間選択領域８２とを有する。
【００４４】
主制御部４１は、高品質許容時間及び低品質許容時間の許容時間が選択されたか否かを判断する（Ｓ１１１）。許容時間が選択されていない場合（Ｓ１１１のＮｏ）は、主制御部４１はそのまま待機する。
【００４５】
許容時間が選択された場合（Ｓ１１１のＹｅｓ）は、主制御部４１は、選択された許容時間を設定して、記憶部４２に記憶する（Ｓ１１３）。
【００４６】
以上のようにして、動画像録画装置１が、受信された動画像の録画処理を一時停止する際の基準とする品質レベル、または動画像の録画処理を一時停止した後再度録画処理を再開する際の基準とする品質レベル、および許容時間の設定が行われる。
【００４７】
なお、図５に示した方法は、受信された動画像の録画処理を一時停止する際の基準とする品質レベルと動画像の録画処理を一時停止した後再度録画処理を再開する際の基準とする品質レベルとを別々の基準レベルとして設定する場合を例に挙げたが、これに限らず、動画像の録画処理を一時停止する際の基準とする品質レベルと、動画像の録画処理を一時停止した後再度録画処理を再開する際の基準とする品質レベルとを区別せずに、同一のものとして設定してもよい。
【００４８】
次に、動画像録画装置１が動画像の符号化ストリームを受信した際に録画処理や一時低処理を行う際の手順を、図８及び図９に示すフローチャートに基づいて説明する。
【００４９】
始めに、動画像録画装置１による録画処理を、画像品質に基づいて一時停止する場合について説明する。主制御部４１は、録音処理が開始されたか否かを判断する（Ｓ２０１）。この録音処理は、ユーザにより操作キー２４が操作されることにより開始されても、記憶部４２に予め記憶されていた予約情報に基づいて開始されても良い。録音処理が開始されていない場合（Ｓ２０１のＮｏ）は、主制御部４１は録音処理を行わずに待機する。
【００５０】
録音処理が開始された場合（Ｓ２０１のＹｅｓ）には、主制御部４１は、録画画像低品質検出経過時間をリセットして（「０」にして）、タイマーを開始させる（Ｓ２０３）。
【００５１】
主制御部４１は、受信している動画像の符号化ストリームの録画画像品質を取得する（Ｓ２０５）。録画画像品質は、受信電解強度レベル、あるいは誤り率により検出される。また主制御部４１は、Ｓ１０７で設定された品質レベル（録画中の動画像の録画処理を一時停止する際の基準レベル）を取得する（Ｓ２０７）。
【００５２】
主制御部４１は、Ｓ２０５で取得した録画画像品質とＳ２０７で取得した品質レベルとを比較し、録画画像品質が設定された品質レベルより低いか否かを判断する（Ｓ２０９）。録画画像品質が設定された品質レベルより高い場合（Ｓ２０９のＮｏ）は、Ｓ２０３に戻り、主制御部４１は、再び録画画像低品質検出経過時間をリセットしてタイマーを開始して（Ｓ２０３）、Ｓ２０５からＳ２０９までの処理を行う。
【００５３】
録画画像品質が設定された品質レベルより低い場合（Ｓ２０９のＹｅｓ）は、録画画像の低品質な状態が継続しているので、主制御部４１は、録画画像低品質検出経過時間のタイマーを進める（Ｓ２１１）。
【００５４】
主制御部４１は、Ｓ１１３で設定された低品質許容時間を取得する（Ｓ２１３）。そして主制御部４１は、録画画像低品質検出経過時間が低品質許容時間を超えたか否かを判断する（Ｓ２１５）。録画画像低品質検出経過時間が低品質許容時間を超えていない場合（Ｓ２１５のＮｏ）は、Ｓ２０５に戻る。
【００５５】
録画画像低品質検出経過時間が低品質許容時間を超えた場合（Ｓ２１５のＹｅｓ）は、受信している動画像の画像品質が低いため、主制御部４１は、録画処理を一時停止する（Ｓ２１７）。
【００５６】
次に、動画像録画装置１により一時停止中の録画処理を受信画像の画像品質に基づいて再開する場合について説明する。主制御部４１は、録画処理が一時停止されたか否かを判断する（Ｓ３０１）。すなわち、主制御部４１は、Ｓ２１５で一時停止された場合に、一時停止されたと判断する。一時停止されていない場合（Ｓ３０１のＮｏ）は、主制御部４１はそのまま待機する。
【００５７】
一時停止された場合（Ｓ３０１のＹｅｓ）は、主制御部４１は、録画画像高品質検出経過時間を「０」にリセットして、タイマーを開始させる（Ｓ３０３）。
【００５８】
主制御部４１は、Ｓ２０５と同様にして録画画像品質を取得する（Ｓ３０５）。また主制御部４１は、Ｓ１０７で設定された品質レベル（一時停止中の動画像の録画処理を再開する際の基準レベル）を取得する（Ｓ３０７）。
【００５９】
主制御部４１は、Ｓ３０５で取得した録画画像品質とＳ３０７で取得した品質レベルとを比較し、録画画像品質が設定された品質レベルより高いか否かを判断する（Ｓ３０９）。録画画像品質が設定された品質レベルより低い場合（Ｓ３０９のＮｏ）は、Ｓ３０３に戻り、再び主制御部４１は、録画画像高品質検出経過時間をリセットして、タイマーを開始して（Ｓ３０３）、Ｓ３０５からＳ３０９までの処理を行う。
【００６０】
録画画像品質が設定された品質レベルより高い場合（Ｓ３０９のＹｅｓ）は、受信している動画像の高品質状態が継続しているので、主制御部４１は、録画画像高品質検出経過時間のタイマーを進める（Ｓ３１１）。
【００６１】
主制御部４１は、Ｓ１１３で設定された高品質許容時間を取得する（Ｓ３１３）。そして主制御部４１は、録画画像高品質検出経過時間が高品質許容時間を超えたか否かを判断する（Ｓ３１５）。録画画像高品質検出経過時間が高品質許容時間を超えていない場合（Ｓ３１５のＮｏ）は、Ｓ２０５に戻る。
【００６２】
録画画像高品質検出経過時間が高品質許容時間を超えた場合（Ｓ３１５のＹｅｓ）は、受信している動画像の画像品質が高いため、主制御部４１は、一時停止していた録画処理を再開する（Ｓ３１７）。
【００６３】
以上のようにして、動画像録画装置１により、動画像の符号化ストリームの録画処理や一時停止処理が行われる。
【００６４】
ここで、動画像録画装置１による録画処理の動作例について、図１０に基づいて説明する。なお、図１０に示す動作例１乃至動作例３において、高品質許容時間及び低品質許容時間は３分に設定されている。また図１０において、「○」は録画画像品質が基準レベルを上回った状態、「×」は録画画像品質が基準レベルを下回った状態を示す。
【００６５】
動作例１では、録画処理中に、画像受信品質が基準レベルを下回った状態（×）が低品質許容時間の３分間経過した時に録画が一時停止される。その後、画像受信品質が基準レベルを下回った状態（×）が４分間経過した時に画像受信品質が基準レベルを上回り、さらにこの画像受信品質が基準レベルを上回った状態（○）が高品質許容時間の３分間経過した時に、録画処理が再開される。
【００６６】
動作例２では、録画処理中に、録画画像品質が基準レベルを下回った状態（×）が２分間経過した時に録画画像品質が基準レベルを上回り、録画画像品質が基準レベルを下回った状態（×）が低品質許容時間の３分間継続しなかったため、一時停止処理が行われない。そして、再び録画画像品質が基準レベルを下回り、この画像受信品質が基準レベルを下回った状態（×）が低品質許容時間の３分間経過した時に録画が一時停止される。
【００６７】
動作例３では、一時停止処理中に、録画画像品質が基準レベルを上回った状態（○）が１分間継続するが、この状態が高品質許容時間の３分間継続しなかったため、録画の再開処理が行われない。また録画画像品質が基準レベルを下回って１分経過後に、録画画像品質が基準レベルを上回り、この録画画像品質が基準レベルを上回った状態（○）が高品質許容時間の３分間経過した時に、録画が再開される。
【００６８】
このように、動画像録画装置１により録画処理を行う際、一時停止処理や再開処理を行うための基準レベルや許容時間がユーザにより設定されることにより、一時停止処理や再開処理を開始する判断に、ユーザの感覚が反映される。
【００６９】
なお、動画像録画装置１において一時停止処理が行われた際には、録画データにその旨を示す画像やアニメーションをはめ込むと良い。
【００７０】
本発明に係る動画像録画装置１によると、地上波デジタル放送を受信して録画する際に、録画の一時停止処理や録画の再開処理を行うための受信状態の基準レベルをユーザに選択させることにより、ユーザの感覚を考慮して録画の停止処理や再開処理を行うことが可能となった。
【００７１】
また、録画の一時停止処理や録画の再開処理を行うための受信状態の基準レベルに対して、許容時間を設定することにより、最良の録画処理を行うことが可能となった。
【００７２】
なお、録画の一時停止時の画像品質レベルの検出タイミング（回数）を、録画時の検出タイミング（回数）に比べ少なくする事で、録画の一時停止時状態での携帯電話本体の電池の消耗を抑える事も可能となる。
【００７３】
なお、ステップＳ１０３が表示手段であり、ステップＳ１０７の処理がレベル設定手段であり、ステップＳ１０９が時間入力手段であり、ステップＳ１１３の処理が時間設定手段である。また、ステップＳ２０５、Ｓ３０５が取得手段であり、ステップＳ２１７が一時停止手段であり、ステップＳ３１７が録画再開手段である。
【００７４】
第１実施形態では携帯電話機型の動画像復号装置１について説明したが、これに限らず、携帯型テレビやＰＤＡ（Ｐｅｒｓｏｎａｌ  Ｄｉｇｉｔａｌ  Ａｓｓｉｓｔａｎｔｓ）であっても良い。
【図面の簡単な説明】
【００７５】
【図１】本発明に係る動画像録画装置の外観図。
【図２】本発明に係る動画像録画装置の外観図。
【図３】本発明に係る動画像録画装置の機能構成図。
【図４】品質レベル情報のデータ構成図。
【図５】本発明に係る動画像録画装置が品質レベル設定処理を行う際の手順を示すフローチャート。
【図６】〔Ａ〕録画処理中の動画像の録画処理を一時停止する際の品質レベル設定画面を示す図。〔Ｂ〕一時停止中の動画像の録画処理を再開する際の品質レベル設定画面を示す図。
【図７】許容時間設定画面を示す図。
【図８】本発明に係る動画像録画装置が動画像の録画処理を行う際の手順を示すフローチャート。
【図９】本発明に係る動画像録画装置が動画像の録画処理を行う際の手順を示すフローチャート。
【図１０】本発明に係る動画像録画装置による録画処理の動作例を示す図。
【符号の説明】
【００７６】
１…動画像録画装置，４１…主制御部，４２…記憶部，４３…電源回路部，４４…操作入力制御部，４５…ＬＣＤ制御部，４６…カメラインターフェース，４７…画像エンコーダ，４８…音声コーディック，４９…変復調回路部，５０…多重化分離部，５１…画像デコーダ，５２…送受信回路部，５３…アンテナ，５４…バス，６０…品質情報，７０，７２…品質レベル選択画面，８０…品質レベル許容時間選択画面。
【図１】
2008219564.tif 000003
【図２】
2008219564.tif 000004
【図３】
2008219564.tif 000005
【図４】
2008219564.tif 000006
【図５】
2008219564.tif 000007
【図６】
2008219564.tif 000008
【図７】
2008219564.tif 000009
【図８】
2008219564.tif 000010
【図９】
2008219564.tif 000011
【図１０】
2008219564.tif 000012